(57)【特許請求の範囲】
【請求項１】
直流低圧電源の出力電圧を昇圧トランスの一次側にパルス発生回路の出力するパルス出力によりオンオフ動作が制御されるスイッチ素子を介して印加することにより昇圧し、この昇圧出力によりコンデンサを充電する電源装置において、前記昇圧トランスの二次巻線（１０Ｂ）と前記コンデンサ（７）との間に直列接続される第一の抵抗（１３）と第二の抵抗（１４）からなる接続体と、ベースが第三の抵抗（１５）を介して前記第一の抵抗（１３）及び第二の抵抗（１４）の接続点に接続され、エミッタ・コレクタ間が前記接続体の両端部に接続されたトランジスタ（１６）と、前記トランジスタ（１６）のベース・エミッタ間に接続され、前記トランジスタ（１６）のベースと前記第三の抵抗（１５）との接続点に接続された副コンデンサ（１７）からなる電流制限手段（１２）を備えたことを特徴とする電源装置。
【請求項２】
請求項１記載の電流制限手段に変え、前記昇圧トランスの二次巻線（１０Ｂ）と前記コンデンサ（７）との間に直列接続される第一抵抗（１９）と双方向性スイッチング素子（２０）からなる並列接続体と、前記コンデンサ（７）の両端に、電圧検出素子（２２）と第二の抵抗（２３）と第三の抵抗（２４）とが直列接続された電圧検出回路（２１）が並列接続され、
前記双方向性スイッチング素子（２０）の制御極が前記第二の抵抗（２３）と前記第三の抵抗（２４）の接続点に接続され、前記双方向性スイッチング素子（２０）の電極が前記第一の抵抗（１９）と前記第三の抵抗（２４）の接続点に接続されたことを特徴とする電源装置。
【請求項３】
請求項１、又は請求項２に記載の電源装置を備えたことを特徴とするストロボ装置。
【請求項４】
請求項３に記載のストロボ装置を備えたことを特徴とする撮像装置。
【発明の詳細な説明】
【０００１】
【発明の属する技術分野】
本発明は、乾電池等の直流低圧電源の出力する直流低電圧を昇圧する昇圧回路と、この昇圧回路の出力により充電される電源用のコンデンサを含む電源装置およびこの電源装置を内蔵したストロボ装置およびこのストロボ装置を内蔵した撮像装置に関し、特に電源装置における電源用のコンデンサの充電動作に特徴を有する電源装置および該電源装置を有したストロボ装置および該ストロボ装置を内蔵した撮像装置に関するものである。
【０００２】
【従来の技術】
従来から、写真用カメラや電子スチルカメラ等の撮像装置により記録したい対象の画像を光学画像情報あるいは電気的画像情報として記録する際の人工光源のひとつとしてストロボ装置は独立した形態あるいは撮像装置内に内蔵された形態で有用されている。
【０００３】
また、ストロボ装置の電源装置としては、発振構成を介して乾電池等の直流低圧電源の端子電圧を昇圧するいわゆる自励方式の昇圧回路と、この昇圧回路の出力により充電され、閃光放電管を介して放電される電荷を蓄積する電源用コンデンサを含む電源装置や同直流低圧電源の端子電圧を外部から供給されるパルス信号に基づきオンオフ動作するスイッチ手段を介して昇圧トランスに供給して昇圧するいわゆる他励方式の昇圧回路を含む電源装置が周知である。
【０００４】
例えば図４は、発振構成を介して直流低圧電源の端子電圧を昇圧する自励方式の昇圧回路Ｓを含む電源装置Ｄを採用した従来周知のストロボ装置の一例を示す要部電気回路図である。
【０００５】
昇圧回路Ｓは、乾電池等の直流低圧電源１、トランジスタであるスイッチング素子２、飽和型の発振トランス３、起動抵抗４、位相補正用のコンデンサ５および整流ダイオード６を含んで構成されている。
【０００６】
電源装置Ｄは、上記昇圧回路Ｓとこの昇圧回路Ｓの出力により充電される電源用のコンデンサである主コンデンサ７を含んで構成されている。なお、主コンデンサ７の両端には、図示していないトリガ回路の動作に応答して主コンデンサ７に充電された電荷を消費して発光する閃光放電管８が接続されている。
【０００７】
図４において直流低圧電源１が供給されると、直流低圧電源１、スイッチング素子２のエミッタ〜ベース間、起動抵抗４とコンデンサ５の並列体を介して電流が流れ、スイッチング素子２がオンする。スイッチング素子２がオンすると、そのエミッタ〜コレクタ間、発振トランス３の一次巻線３Aを介して電流が流れることから発振トランス３等が発振動作を開始し、これにより発振トランス３の二次巻線３Bより直流低圧電源１の端子電圧を発振トランス３の一次巻線３Aと二次巻線３Bとの巻数比に応じて昇圧した高圧交流電圧が出力される。
【０００８】
二次巻線３Bより出力される高圧交流電圧は整流ダイオード６により整流されて主コンデンサ７に供給され、これにより主コンデンサ７は充電されて行く。
【０００９】
一方、図５は、他励方式の昇圧回路Ｓ１を含む従来周知の電源装置Ｄ１を備えたストロボ装置例の要部電気回路図を示し、図中、図４と同符号の構成要件は同一構成要件を示している。
【００１０】
昇圧回路Ｓ１は、乾電池等の直流低圧電源１、パワーＭＯＳトランジスタである一次側のスイッチング素子９、非飽和型の昇圧トランス１０および整流ダイオード６を含んで構成されている。
【００１１】
スイッチング素子９の制御極は、昇圧回路Ｓ１の外部に設けられ、適宜周期の矩形波パルス信号を出力するパルス発生回路である例えばマイクロコンピュータ等の制御回路１１のパルス信号出力端子と接続されている。
【００１２】
なお、電源装置Ｄ１は、先の従来例と同様、上記昇圧回路Ｓ１とこの昇圧回路Ｓ１の出力により充電される主コンデンサ７を含んで構成され、また、主コンデンサ７の両端には、図示していないトリガ回路の動作に応答して主コンデンサ７に充電された電荷を消費して発光する閃光放電管８が接続されている。
【００１３】
図５において、制御回路１１から出力される適宜周期の矩形波パルス信号がスイッチング素子９の制御極に供給されると、スイッチング素子９はオンオフ動作を開始し、これにより直流低圧電源１から昇圧トランス１０の一次巻線１０Aに電力供給が断続してなされることになり、昇圧トランス１０の巻数比に応じた高圧交流電圧が二次巻線１０Bより出力されることになる。
【００１４】
二次巻線１０Bより出力される高圧交流電圧は先の電源装置と同様に、整流ダイオード６により整流されて主コンデンサ７に供給され、これにより主コンデンサ７は充電されて行く。
【００１５】
なお、他励方式の昇圧回路を含む電源装置としては、直流低圧電源から昇圧トランスの一次側に対する電力供給状態を、例えば電力供給経過時間や主コンデンサの充電電圧値もしくは直流低圧電源の端子電圧値等に基づいて制御することを特徴とする電源装置も種々提案されている。（特開平７‐１９２８８４号公報、特開平７‐８５９８８号公報等）
【００１６】
【発明が解決しようとする課題】
図４に示した自励方式の昇圧回路Ｓを含む電源装置Ｄは、主コンデンサ７の充電ループ内にスイッチング素子２が存在することになり、すなわち主コンデンサ７の充電電流が昇圧回路に帰還されることになり、直流低圧電源１からの供給電流は主コンデンサ７の充電が進むにつれて激減する特性を有し、このため変換効率が良好であり、ストロボ装置の電源装置として極めて一般的に使用されている。
【００１７】
しかしながら、上述した直流低圧電源１からの供給電流の特性について詳細にみてみると、図６（ａ）に示したように、充電初期には数アンペアから十アンペアもの過大電流が例えば乾電池である直流低圧電源１から出力され、数秒後には数十分の一に急激に減少する特性となる。
【００１８】
この充電初期に発生する過大電流は、直流低圧電源１の端子電圧を一時的に落ち込ませ、また一種のノイズ源として作用し、例えば直流低圧電源１を他の電気回路の電源として使用しているような場合、当該他の電気回路の誤動作を生じる原因となる。同様の現象は主コンデンサ７の充電電荷が消費された後、すなわち発光後にも生じることになる。
【００１９】
したがって、例えば撮像装置として被写体の画像情報を電気的に取込み記録する電子スチルカメラを考えた場合、上記端子電圧の落ち込み等により撮影後の画像情報の取込み動作の失敗という致命的な不都合が発生する恐れを有している。
【００２０】
なお、直流低圧電源１の端子電圧の変動を防止する方法としては、直流低圧電源１からの出力電流を数百ミリアンペアに定電流化する方法、すなわち図７に示したような定電流回路Ｃを直流低圧電源１とスイッチング素子２の間に接続する方法が知られている。しかしこの方法は、電圧降下方式による定電流化であり、発熱を伴い、また主コンデンサ７の充電時間が長くなる不都合点を有していた。
【００２１】
一方、他励方式の昇圧回路Ｓ１を含む電源装置Ｄ１は、主コンデンサ７の充電電流が帰還されず、またスイッチング素子９の動作が制御回路１１の出力する矩形波パルス信号の周期にて制御されることから、直流低圧電源１から昇圧トランス１０の一次側に供給される供給電流の特性は、先の電源装置Ｄのような時間と共に急激に減少する特性とはならず基本的には定電流特性となる。
【００２２】
すなわち、上記電源装置Ｄ１における直流低圧電源１からの供給電流の特性は、図６（ｂ）に示したように、充電を開始した時点Ｔ0から短時間ではあるが適宜時間が経過した時点Ｔ1までの期間Ｔにおいて過大電流が供給された後、所定の定電流に制御される特性となり、大きく見れば定電流特性とみなすこともできる。
【００２３】
しかしながら、期間Ｔにおいては依然として過大電流が発生しており、電源装置Ｄ１も先の電源装置Ｄと同様、上記期間Ｔにおける過大電流発生時に直流低圧電源１の端子電圧の落ち込み、またノイズが発生することが考えられ、例えば直流低圧電源１を他の電気回路の電源としても共用するような場合、他の電気回路の操作途中において昇圧回路Ｓ１を作動させると、上記端子電圧の落ち込み等の発生により他の電気回路が誤動作を生じてしまう恐れを有している。
【００２４】
本発明は上述したような諸点を考慮してなしたもので、直流低圧電源から昇圧トランスの一次側に供給される電流に電源用のコンデンサの充電初期から定電流特性を持たせることにより過大電流の発生を防止することができ、よって、直流低圧電源の端子電圧の落ち込みおよびノイズ発生を防止できる電源装置および該電源装置を有したストロボ装置および該ストロボ装置を内蔵した撮像装置を提供することを目的とする。
【００２５】
【課題を解決するための手段】
本発明による電源装置は、直流低圧電源の出力電圧を昇圧トランスの一次側にパルス発生回路の出力するパルス出力によりオンオフ動作が制御されるスイッチ素子を介して印加することにより昇圧し、この昇圧出力によりコンデンサを充電する電源装置において、昇圧トランスの二次側出力端子に接続され、コンデンサの充電状態を昇圧トランスの二次側にて制御する電流制限手段を備えて構成したものである。
【００２６】
これにより、直流低圧電源から昇圧トランスの一次側へ供給される電流の特性を、コンデンサの充電初期における直流低圧電源からの過大電流が発生することのない定電流特性に制御できることになる。
【００２７】
【発明の実施の形態】
本発明の請求項１に記載の発明は、直流低圧電源の出力電圧を昇圧トランスの一次側にパルス発生回路の出力するパルス出力によりオンオフ動作が制御されるスイッチ素子を介して印加することにより昇圧し、この昇圧出力によりコンデンサを充電する電源装置において、昇圧トランスの二次側出力端子に電流制限手段を接続してコンデンサの充電状態を昇圧トランスの二次側にて制御するように構成したものであり、直流低圧電源から昇圧トランスの一次側に供給される電流に定電流特性を持たせることができ、よってコンデンサの充電初期における直流低圧電源からの過大電流の発生を防止できる作用を有する。
【００２８】
また、本発明の請求項１に記載の発明は、電源装置における電流制限手段を、コンデンサの充電電流値に応答して昇圧トランスの二次側出力端子を介したコンデンサの充電ループ内のインピーダンスを制御するように構成している。
【００３０】
本発明の請求項２に記載の発明は、少なくとも、低圧直流電源の出力電圧を昇圧トランスの一次側にパルス発生回路の出力するパルス出力によりオンオフ動作が制御されるスイッチ素子を介して印加することにより昇圧する昇圧回路、この昇圧回路の出力により充電される電源用のコンデンサ、昇圧トランスの二次側出力端子に接続される電流制限手段を含み、コンデンサの充電状態を昇圧トランスの二次側にて制御することにより低圧直流電源から昇圧トランスの一次側に供給される電流に定電流特性を持たせることを特徴とする電源装置と、コンデンサの両端に接続され、コンデンサの充電電荷を消費して発光する放電管とを備えてストロボ装置を構成したものであり、直流低圧電源から昇圧トランスの一次側に供給される電流に定電流特性を持たせることができ、よってコンデンサの充電初期における直流低圧電源からの過大電流の発生を防止できる作用を有する。
【００３１】
また、本発明の請求項２に記載の発明は、ストロボ装置における電流制限手段を、コンデンサの充電電流値に応答して昇圧トランスの二次側出力端子を介したコンデンサの充電ループ内のインピーダンスを制御するように構成している。
【００３３】
本発明の請求項３乃至４に記載の発明は、前記請求項１、又は請求項２に記載される電流制限手段を含み、コンデンサの充電状態を昇圧トランスの二次側にて制御することにより低圧直流電源から昇圧トランスの一次側に供給される電流に定電流特性を持たせることを特徴とする電源装置と、コンデンサの両端に接続され、コンデンサの充電電荷を消費して発光する放電管とを備えたストロボ装置とそのストロボ装置を内蔵した撮像装置を構成したものであり、直流低圧電源から昇圧トランスの一次側に供給される電流に定電流特性を持たせることができ、よってコンデンサの充電初期における直流低圧電源からの過大電流の発生を防止できる作用を有する。
【００３６】
図面からも明らかなように、本実施の形態におけるストロボ装置は、他励方式の昇圧回路ＳＸと電源用の主コンデンサ７とからなる電源装置ＤＸ及び主コンデンサ７の両端に接続され、図示していないトリガ回路の動作によりコンデンサ７の充電電荷を消費して発光する放電管８を含んで構成されている。
【００３７】
昇圧回路ＳＸは、図５に示した他励方式の昇圧回路Ｓ１と同様、スイッチング素子９、一次巻線１０Ａと二次巻線１０Ｂを有する非飽和型のトランス１０、整流ダイオード６を含み、さらに昇圧トランス１０の二次側である二次巻線１０Ｂと主コンデンサ７間に接続され、主コンデンサ７の充電状態を制御する電流制限手段１２を含んで構成されている。
【００３８】
電流制限手段１２は、昇圧トランス１０の二次巻線１０Ｂと主コンデンサ７との間に直列接続された抵抗１３，１４と、ベースが抵抗１５を介して抵抗１３と１４との接続点に接続され、エミッタ〜コレクタ間が抵抗１３と１４との接続体の両端に接続されたトランジスタ１６と、このトランジスタ１６のベース〜エミッタ間に接続され、先の抵抗１５と遅延回路を形成するコンデンサ１７とから構成されている。
【００３９】
図１において、制御回路１１が動作を開始して所定周期の矩形波パルス信号がスイッチング素子９の制御極に供給されると、スイッチング素子９は上記矩形波パルス信号の周期に基づいてオンオフ動作を開始する。
【００４０】
スイッチング素子９がオンオフ動作を開始すると、昇圧トランス１０は、スイッチング素子９のオン期間に直流低圧電源１が供給されることから励起され、オフ期間にオン期間での励起により蓄積したエネルギーを二次巻線１０Ｂより、すなわち二次側に昇圧出力する。
【００４１】
昇圧トランス１０の二次巻線１０Ｂよりの昇圧出力は整流ダイオード６を介して主コンデンサ７に供給され、この主コンデンサ７を充電することになるが、本実施の形態においては、図１に図示したように抵抗１３、トランジスタ１６等からなり、昇圧トランス１０の二次側と主コンデンサ７との間に接続される電流制限手段１２を有しており、したがって、上記昇圧出力による主コンデンサ７の充電動作は以下のように行われることになる。
【００４２】
まず、充電初期においては、電流制限手段１２を構成する抵抗１３，１４が主コンデンサ７と直列接続されているため、主コンデンサ７の充電電流はこの抵抗１３，１４を介して流れることになり、抵抗を有していない図５に示した例とは異なり上記充電電流は大きく抑制されることになる。
【００４３】
主コンデンサ７の充電電流が大きく抑制されるということは昇圧トランス１０の一次側の負担が軽くなることに他ならず、したがって直流低圧電源１から昇圧トランス１０の一次側に供給される電流の値が大きくなることはない。
【００４４】
換言すれば、本実施の形態の場合、主コンデンサ７の充電初期においてその充電電流が大きく抑制されるように充電状態が制御されることから、昇圧トランス１０の一次側に直流低圧電源１から過大電流が供給されることはない。
【００４５】
この時、主コンデンサ７の充電電流により抵抗１４に生じる降下電圧が遅延回路を形成している抵抗１５とコンデンサ１７とに供給されることから、主コンデンサ７の充電開始から上記降下電圧によるコンデンサ１７の充電も進んで行く。
【００４６】
主コンデンサ７の充電電流に基づくコンデンサ１７の充電が進み、その充電電圧値がトランジスタ１６をオンできる値に達するとこのトランジスタ１６はオンし、一方トランジスタ１６がオンすると、それ以降、主コンデンサ７の充電電流が上記オンしたトランジスタ１６を介して流れることになる。
【００４７】
すなわち、トランジスタ１６のオンにより主コンデンサ７の充電ループが、それまでの抵抗１３，１４を介していた高インピーダンスを有する充電ループから両抵抗１３，１４を介さないトランジスタ１６を介した低インピーダンスを有した充電ループに切換えられることになる。
【００４８】
換言すれば、本実施の形態における電流制限手段１２は、主コンデンサ７の充電電流に応答して昇圧トランス１０の二次側出力端子を介した主コンデンサ７の充電ループのインピーダンスを制御することにより主コンデンサ７の充電状態を制御することになる。
【００４９】
ここで、上述したトランジスタ１６のオン時点を、例えば図６（ｂ）において時点Ｔ１で説明した時点となるように電流制限手段１２を構成する抵抗１５等の抵抗値やコンデンサ１７の容量値を制御することにより、主コンデンサ７の充電動作を、従来装置の場合は過大電流が発生していた上記時点Ｔ1までの期間Ｔにおいては従来装置とは異なる高インピーダンスの充電ループにて、また時点Ｔ１以降は従来装置と同様の低インピーダンスの充電ループにて行えることになる。
【００５０】
この結果、本実施の形態における直流低圧電源１から昇圧トランス１０の一次側に供給される電流の特性は、図６（ｂ）に示した従来装置の特性における時点Ｔ0〜Ｔ1で示した期間Ｔの過大電流が発生しない図２に示したような充電開始時点から定電流特性を持った特性に制御されることになる。
【００５１】
なお、本実施の形態におけるストロボ装置を撮像装置に内蔵させることにより、主コンデンサ７の充電動作時に直流低圧電源から過大電流の供給が発生しないストロボ装置内蔵撮像装置を得られることは詳述するまでもない。
（実施例２）
図３は、本発明による電源装置を有するストロボ装置の他の実施の形態を示す要部電気回路図であり、図中、図１と同符号の構成要素は同一構成要素を示している。
【００５２】
本実施の形態におけるストロボ装置も、先に述べた実施の形態と同様、他励方式の昇圧回路ＳＹと電源用の主コンデンサ７とからなる電源装置ＤＹ及び主コンデンサ７の両端に接続され、図示していないトリガ回路の動作によりコンデンサ７の充電電荷を消費して発光する放電管８を含んで構成されている。
【００５３】
ただし、本実施の形態は、昇圧回路ＳＹにおける昇圧トランスの二次側出力端子に接続される電流制限手段として、抵抗１３，１４、トランジスタ１６等から構成され、主コンデンサ７の充電電流値に応答して昇圧トランス１０の二次側出力端子を介した主コンデンサ７の充電ループのインピーダンスを制御していた先に説明した実施の形態における電流制限手段１２とは異なり、抵抗１９と双方向性スイッチング素子２０の並列接続体および電圧検出素子２２、抵抗２３，２４からなる電圧検出回路２１から構成され、主コンデンサ７の充電電圧値に応答して昇圧トランス１０の二次側出力端子を介した主コンデンサ７の充電ループのインピーダンスを制御する電流制限手段１８を用いた例である。
【００５４】
図３からも明らかなように、昇圧トランス１０の二次側出力端子である二次巻線１０Ｂと主コンデンサ７との間には抵抗１９と双方向性スイッチング素子２０との並列接続体が接続され、さらに双方向性スイッチング素子２０の制御極は、電圧検出回路２１を構成する抵抗２３と抵抗２４との接続点と接続されている。
【００５５】
したがって、主コンデンサ７の充電電流は、充電初期においては昇圧トランス１０の二次巻線１０Ｂと主コンデンサ７との間に直列接続されている抵抗１９を介して流れることになり、図１と共に先に説明した実施の形態と同様、抵抗を有していない図５に示した従来装置に比して大きく抑制されることになる。
【００５６】
このため、本実施の形態においても先の実施の形態と同様、直流低圧電源１から昇圧トランス１０の一次側に過大電流が供給されることはない。
【００５７】
一方、主コンデンサ７の充電が進み、主コンデンサ７の充電電圧値が適宜の電圧値に到達すると、電圧検出回路２１が動作を開始して双方向性スイッチング素子２０をオンさせることになる。
【００５８】
すなわち、電圧検出回路２１は、主コンデンサ７の充電電圧値が適宜の電圧値に到達すると電圧検出素子２２をオンさせて抵抗２３と２４を介して電流を流し、抵抗２４の降下電圧を双方向性スイッチング素子２１の制御極に印加することによりこの双方向性スイッチング素子２１をオンさせる。
【００５９】
双方向性スイッチング素子２１がオンすると、以降主コンデンサ７の充電電流はこの双方向性スイッチング素子２１を介して流れることになり、すなわち、双方向性スイッチング素子２１のオンにより主コンデンサ７の充電ループが、それまでの抵抗１９を介していた高インピーダンスを有する充電ループから抵抗１９を介さない双方向性スイッチング素子２１を介した低インピーダンスを有した充電ループに切換えられることになる。
【００６０】
換言すれば、本実施の形態における電流制限手段１８は、主コンデンサ７の充電電圧に応答して昇圧トランス１０の二次側出力端子を介した主コンデンサ７の充電ループのインピーダンスを制御することにより主コンデンサ７の充電状態を制御することになる。
【００６１】
ここで、上述した双方向性スイッチング素子２０のオン時点を、例えば図６（ｂ）において時点Ｔ１で説明した時点となるように電圧検出回路２１を構成する電圧検出素子２２の特性や抵抗２３等の抵抗値を制御することにより、主コンデンサ７の充電動作を、図１で説明した実施の形態と同様、従来装置の場合は過大電流が発生していた上記時点Ｔ1までの期間Ｔにおいては従来装置とは異なる高インピーダンスの充電ループにて、また時点Ｔ１以降は従来装置と同様の低インピーダンスの充電ループにて行えることになる。
【００６２】
この結果、本実施の形態における直流低圧電源１から昇圧トランス１０の一次側に供給される電流の特性は、先に説明した実施の形態と同様、図６（ｂ）に示した従来装置の特性における時点Ｔ0〜Ｔ1で示した期間Ｔにおいても過大電流が発生しない特性、換言すれば図２に示したような充電開始時点から定電流特性を有する特性に制御されることになる。
【００６３】
なお、本実施の形態におけるストロボ装置を撮像装置に内蔵させることにより、主コンデンサ７の充電動作時に過大電流を生じることのないストロボ装置内蔵撮像装置を得られることは詳述するまでもない。
【００６４】
【発明の効果】
本発明による電源装置は、電源用のコンデンサの充電状態を昇圧トランスの二次側にて制御する電流制限手段を備えていることから、直流低圧電源から昇圧トランスの一次側に供給される電流に定電流特性を持たせることができる効果、すなわち、電源用のコンデンサの充電初期において過大電流の発生を防止することができる効果を有し、この結果、直流低圧電源の端子電圧が不用意に降下したりノイズが発生することを防止できる効果を有する。
【００６５】
また、本発明による電源装置を有したストロボ装置は、電源用のコンデンサの充電状態を昇圧トランスの二次側にて制御する電流制限手段を備えた電源装置を有していることから、直流低圧電源から昇圧トランスの一次側に供給される電流に定電流特性を持たせることができる効果、すなわち、電源用のコンデンサの充電初期における過大電流の発生を防止することができる効果を有し、よって、直流低圧電源の端子電圧が不用意に降下したりノイズが発生することがなく、直流低圧電源を他の電気回路の電源として共用する時、当該他の電気回路が誤動作することを防止できる効果を有する。
【００６６】
さらに、本発明による電源装置を有したストロボ装置を内蔵した撮像装置は、電源用のコンデンサの充電状態を昇圧トランスの二次側にて制御する電流制限手段を備えた電源装置を有したストロボ装置を内蔵していることから、直流低圧電源から昇圧トランスの一次側に供給される電流に定電流特性を持たせることができ、すなわち、電源用のコンデンサの充電初期における過大電流の発生を防止することができ、よって、直流低圧電源の端子電圧が不用意に降下したりノイズが発生することがなく、直流低圧電源を他の電気回路の電源として共用する時、当該他の電気回路が誤動作することを防止できる効果を有する。特に、撮像装置として被写体の画像情報を電気的に取込み記録する電子スチルカメラの場合、撮影後の画像情報の取込み動作の失敗という致命的な不都合の発生を防止できる効果を有する。
【図面の簡単な説明】
【図１】本発明による電源装置を有するストロボ装置の一実施の形態を示す要部電気回路図
【図２】図１に示した実施の形態における直流低圧電源からの供給電流特性図
【図３】本発明による電源装置を有するストロボ装置の他の実施の形態を示す要部電気回路図
【図４】従来ストロボ装置の一例を示す要部電気回路図
【図５】従来ストロボ装置の他の例を示す要部電気回路図
【図６】（ａ）図４に示した従来ストロボにおける直流低圧電源からの供給電流特性図（ｂ）図５に示した従来ストロボにおける直流低圧電源からの供給電流特性図
【図７】従来ストロボ装置の他の例を説明するための部分電気回路図
【符号の説明】
１  直流低圧電源
６  整流ダイオード
７  主コンデンサ
８  放電管
９  スイッチング素子
１０  昇圧トランス
１１  制御回路
１２  電流制限手段
１３  抵抗
１４  抵抗
１５  抵抗
１６  トランジスタ
１７  コンデンサ
１８  電流制限手段
１９  抵抗
２０  双方向性スイッチング素子
２１  電圧検出回路
２２  電圧検出素子
２３  抵抗
２４  抵抗
【図１】
0004429414.tif 000002
【図２】
0004429414.tif 000003
【図３】
0004429414.tif 000004
【図４】
0004429414.tif 000005
【図５】
0004429414.tif 000006
【図６】
0004429414.tif 000007
【図７】
0004429414.tif 000008